(57)【特許請求の範囲】
【請求項１】
タッチパッドを用いることにより携帯端末の撮影焦点距離を調整するための方法で
あって、前記方法は前記タッチパッドを備えた携帯端末に対して適用され、
前記携帯端末がカメラアプリケーションプログラムに移行して撮影プレビュー画面を前
記携帯端末のディスプレイ上に表示するときに、ユーザが前記タッチパッドをタッチした
場合には、焦点距離調整開始命令の生成をトリガすることと、
前記焦点距離調整開始命令を実行することと、焦点距離表示バーを前記ディスプレイ上
に表示することであって、前記焦点距離表示バーは、焦点距離調整の程度を前記ユーザに
対して提示するのに用いられる、ことと、
前記ユーザの指が前記タッチパッド上を動き始めるときに、前記タッチパッド上で前記
ユーザの前記指が操作をすることによって生成されるジェスチャタッチ情報を取得するこ
とと、
前記ジェスチャタッチ情報に対応する焦点距離調整命令を決定することと、
前記焦点距離調整命令にしたがって焦点距離を調整することと、前記焦点距離が調整され
た後に取得される画像を前記撮影プレビュー画面上に表示することと、
を含み、
前記操作がスライド操作である場合、前記タッチパッド上で前記ユーザの前記指が操作
をすることによって生成されるジェスチャタッチ情報を前記取得することは、
方向情報を有し、かつ前記ユーザの前記指が前記タッチパッド上をスライドすることによって生成されるスライド軌跡を取得することを含み、
前記ジェスチャタッチ情報に対応する焦点距離調整命令を前記決定することは、
前記スライド軌跡の軌跡の長さを判定することと、前記方向情報にしたがって前記スラ
イド軌跡のスライド方向を判定することと、
前記スライド方向にしたがって、焦点距離調整方向を判定することであって、前記焦点
距離調整方向は、前記焦点距離を拡大させるズームインと前記焦点距離を縮小させるズー
ムアウトとを含む、ことと、
前記軌跡の長さにしたがって、かつ、軌跡の長さと焦点距離調整量との事前に設定され
た対応関係にしたがって、前記軌跡の長さに対応する焦点距離調整量を決定することと、
前記焦点距離調整方向と前記焦点距離調整量とを含む前記焦点距離調整命令を取得するこ
ととを含む方法。
【請求項２】
前記スライド軌跡が、円形軌跡または直線軌跡を含み、
前記スライド軌跡が前記円形軌跡であるときに、前記スライド方向が反時計回り方向も
しくは時計回り方向であり、または、
前記スライド軌跡が前記直線軌跡であるときに、前記スライド方向が第１方向と第２方
向とを含み、前記第１方向および前記第２方向の一方が前記携帯端末の前記ディスプレイ
の水平方向に沿った右方向であり、かつ、他方のものが前記ディスプレイの前記水平方向
に沿った左方向であり、または、前記第１方向および前記第２方向の一方が前記ディスプ
レイの垂直方向に沿った上向きの方向であり、かつ、他方のものが前記ディスプレイの前
記垂直方向に沿った下向きの方向である請求項１に記載の方法。
【請求項３】
前記スライド軌跡が前記円形軌跡である場合、前記スライド方向にしたがって焦点距離
調整方向を前記判定することは、
前記スライド方向が前記反時計回り方向であるときに、前記焦点距離調整方向が前記焦
点距離を縮小させるズームアウトであると判定すること、前記スライド方向が前記時計回
り方向であるときに、前記焦点距離調整方向が前記焦点距離を拡大させるズームインであ
ると判定すること、または、
前記スライド方向が前記反時計回り方向であるときに、前記焦点距離調整方向が前記焦
点距離を拡大させるズームインであると判定すること、前記スライド方向が前記時計回り
方向であるときに、前記焦点距離調整方向が前記焦点距離を縮小させるズームアウトであ
ると判定することを含み、または、
前記スライド軌跡が前記直線軌跡である場合、前記スライド方向にしたがって前記焦点
距離調整方向を判定することは、
前記スライド方向が前記第１方向であるときに、前記焦点距離調整方向が前記焦点距離
を拡大させるズームインであると判定すること、前記スライド方向が前記第２方向である
ときに、前記焦点距離調整方向が前記焦点距離を縮小させるズームアウトであると判定す
ることを含む請求項２に記載の方法。
【請求項４】
前記操作がタップ操作である場合、前記タッチパッド上で前記ユーザの前記指が操作を
することによって生成されるジェスチャタッチ情報を前記取得することは、
前記ユーザの前記指によって前記タッチパッド上で行われる前記タップ操作のタップ量を
取得することを含む請求項１に記載の方法。
【請求項５】
前記タップ量がタップとダブルタップとを含み、前記ジェスチャタッチ情報に対応する
焦点距離調整命令を前記決定することは、
前記タップ操作が前記タップであるときに、事前に設定された単位焦点距離調整量にし
たがって前記焦点距離を拡大させるズームインをするように指示するのに用いられる焦点
距離調整命令を生成すること、前記タップ操作が前記ダブルタップであるときに、前記単
位焦点距離調整量にしたがって前記焦点距離を縮小させるズームアウトをするように指示
するのに用いられる焦点距離調整命令を生成すること、または、
前記タップ操作が前記タップであるときに、焦点距離調整量にしたがって前記焦点距離
を縮小させるズームアウトをするように指示するのに用いられる焦点距離調整命令を生成
すること、前記タップ操作が前記ダブルタップであるときに、前記単位焦点距離調整量に
したがって前記焦点距離を拡大させるズームインをするように指示する焦点距離調整命令
を生成することを含む請求項４に記載の方法。
【請求項６】
前記タッチパッドは、背面指紋タッチパッドまたは前面指紋タッチパッドである請求項
１ないし５のいずれか一項に記載の方法。
【請求項７】
タッチパッドを備えた携帯端末であって、前記携帯端末はタッチパッドを含み、前記携
帯端末はさらに、
前記携帯端末がカメラアプリケーションプログラムに移行して撮影プレビュー画面を前
記携帯端末のディスプレイ上に表示するときに、前記タッチパッドをタッチするユーザに
よりトリガされる焦点距離調整開始命令を受信するように構成されたトリガ部と、
前記焦点距離調整開始命令を実行し、前記ディスプレイに焦点距離表示バーを表示する
ように構成された表示部であって、前記ディスプレイに焦点距離表示バーは、焦点距離調
整の程度を前記ユーザに対して提示するのに用いられる、表示部と、
前記ユーザの指が前記タッチパッド上を動き始めるときに、前記タッチパッド上で操作
する前記ユーザの前記指によって生成されるジェスチャタッチ情報を取得するように構成
された収集部と、
前記ジェスチャタッチ情報に対応する焦点距離調整命令を決定するように構成された判
定部と、
前記焦点距離調整命令にしたがって焦点距離を調整し、前記焦点距離が調整された後に
取得される画像を前記撮影プレビュー画面上に表示するように構成された処理部と、
を備え、
前記操作がスライド操作である場合、前記収集部が、方向情報を有し、かつ前記タッチ
パッド上をスライドする前記ユーザの前記指によって生成されるスライド軌跡を取得する
ように特に構成され、
前記判定部が、
前記スライド軌跡の軌跡の長さを判定して、前記方向情報にしたがって前記スライド軌
跡のスライド方向を判定するように構成された軌跡認識部と、
前記スライド方向にしたがって、焦点距離調整方向を判定するように構成されたズーム
制御部であって、前記焦点距離調整方向は、前記焦点距離を拡大させるズームインと前記
焦点距離を縮小させるズームアウトとを含む、ズーム制御部と、
前記軌跡の長さ、および軌跡の長さと焦点距離調整量との間の事前に設定された対応関
係にしたがって、前記軌跡の長さに対応する焦点距離調整量を決定して、前記焦点距離調
整方向と前記焦点距離調整量とを含む前記焦点距離調整命令を取得するように構成された
調整制御部とを備える携帯端末。
【請求項８】
前記操作がタップ操作である場合、前記収集部は、
前記ユーザの前記指によって前記タッチパッド上で行われる前記タップ操作のタップ量を
取得するように特に構成されている請求項７に記載の携帯端末。
【請求項９】
前記タップ量がタップとダブルタップとを含み、前記判定部は、
前記タップ操作が前記タップであるときに、事前に設定された単位焦点距離調整量にし
たがって前記焦点距離を拡大させるズームインをするように指示するのに用いられる焦点
距離調整命令を生成し、前記タップ操作が前記ダブルタップであるときに、前記単位焦点
距離調整量にしたがって前記焦点距離を縮小させるズームアウトをするように指示するの
に用いられる焦点距離調整命令を生成し、または、
前記タップ操作が前記タップであるときに、前記単位焦点距離調整量にしたがって前記
焦点距離を縮小させるズームアウトをするように指示するのに用いられる焦点距離調整命
令を生成し、前記タップ操作が前記ダブルタップであるときに、前記単位焦点距離調整量
にしたがって前記焦点距離を拡大させるズームインをするように指示する焦点距離調整命
令を生成するように特に構成されている請求項８に記載の携帯端末。
【請求項１０】
前記タッチパッドは、背面指紋タッチパッドまたは前面指紋タッチパッドである請求項
７ないし９のいずれか一項に記載の携帯端末。
【請求項１１】
携帯端末であって、前記携帯端末がタッチパッドを備え、前記携帯端末は前記携帯端末
がプロセッサとメモリとをさらに備え、前記プロセッサと前記メモリとがバスを用いるこ
とにより接続され、前記メモリが、ソフトウェアプログラムを格納するように構成され、
前記プロセッサが、前記ソフトウェアプログラムを実行するように構成され、前記プロセ
ッサが、前記ソフトウェアプログラムを実行し、
前記携帯端末がカメラアプリケーションプログラムに移行して撮影プレビュー画面を前
記携帯端末のディスプレイ上に表示するときに、ユーザが前記タッチパッドをタッチする
ことによりトリガされる焦点距離調整開始命令を受信し、
前記焦点距離調整開始命令を実行して前記ディスプレイ上に焦点距離表示バーを表示し
、前記焦点距離表示バーは、焦点距離調整の程度を前記ユーザに対して提示するのに用い
られ、
前記ユーザの指が前記タッチパッド上を動き始めるときに、前記タッチパッド上で前記
ユーザの前記指が操作をすることによって生成されるジェスチャタッチ情報を取得し、
前記ジェスチャタッチ情報に対応する焦点距離調整命令を決定し、かつ、
前記焦点距離調整命令にしたがって焦点距離を調整し、前記焦点距離が調整された後に
取得された画像を前記撮影プレビュー画面上に表示し、
前記操作がスライド操作である場合、前記プロセッサは、前記ソフトウェアプログラム
を実行し、特に、方向情報を有し、かつ前記ユーザの前記指が前記タッチパッド上をスラ
イドすることによって生成されるスライド軌跡を取得し、
前記プロセッサは、前記ソフトウェアプログラムを実行し、特に、
前記スライド軌跡の軌跡の長さを判定して、前記方向情報にしたがって前記スライド軌
跡のスライド方向を判定し、
前記スライド方向にしたがって、焦点距離調整方向を判定し、前記焦点距離調整方向は
、前記焦点距離を拡大させるズームインと前記焦点距離を縮小させるズームアウトとを含
み、かつ、
前記軌跡の長さ、および軌跡の長さと焦点距離調整量との間の事前に設定された対応関
係にしたがって、前記軌跡の長さに対応する焦点距離調整量を決定して、前記焦点距離調
整方向と前記焦点距離調整量とを含む前記焦点距離調整命令を取得する
携帯端末。
【請求項１２】
前記操作がタップ操作である場合、前記プロセッサは、前記ソフトウェアプログラムを
実行し、特に、
前記ユーザの前記指によって前記タッチパッド上で行われる前記タップ操作のタップ量
を取得する請求項１１に記載の携帯端末。
【請求項１３】
前記タップ量がタップとダブルタップとを含み、前記プロセッサは、前記ソフトウェア
プログラムを実行し、特に、
前記タップ操作が前記タップであるときに、事前に設定された単位焦点距離調整量にし
たがって前記焦点距離を拡大させるズームインをするように指示するのに用いられる焦点
距離調整命令を生成し、前記タップ操作が前記ダブルタップであるときに、前記単位焦点
距離調整量にしたがって前記焦点距離を縮小させるズームアウトをするように指示するの
に用いられる焦点距離調整命令を生成し、または、
前記タップ操作が前記タップであるときに、前記単位焦点距離調整量にしたがって前記
焦点距離を縮小させるズームアウトをするように指示するのに用いられる焦点距離調整命
令を生成し、前記タップ操作が前記ダブルタップであるときに、前記単位焦点距離調整量
にしたがって前記焦点距離を拡大させるズームインをするように指示する焦点距離調整命
令を生成する請求項１２に記載の携帯端末。
【請求項１４】
前記タッチパッドは、背面指紋タッチパッドまたは前面指紋タッチパッドである請求項
１１ないし１３のいずれか一項に記載の携帯端末。
【請求項１５】
請求項１ないし６のいずれかに記載の方法をコンピュータに実行させるプログラムを記録するコンピュータ可読記憶媒体。
【請求項１６】
請求項１ないし６のいずれかに記載の方法をコンピュータに実行させるプログラム。
【発明の詳細な説明】
【技術分野】
【０００１】
本発明の実施形態は携帯端末に関し、特に、タッチパッドを用いて携帯端末の撮影焦点距離を調整する方法および携帯端末に関する。
【背景技術】
【０００２】
携帯電話またはタブレットコンピュータといった携帯端末のカメラの撮影プレビューの際に焦点距離を調整する必要がある場合、焦点距離を調整するため、例えば、２本の指を使ってズームをすることにより焦点距離を調整するため、または、焦点距離表示バー上でタッチ操作を行うことにより焦点距離を調整するために、ユーザは片手を使ってタッチパッド上でタッチ操作を行う必要がある。片手により、このように、携帯端末は不安定な状態で保持されることになり、仮に撮影が成功したとしても、画像のジッタが容易に発生する。さらに、技術が発展するにつれて、携帯端末のサイズが大きくなっており、携帯端末を保持して操作を行うために片手を用いるのは不安定であり、携帯電話は容易に落下して破損する。他方、タッチ操作を行う手がディスプレイを遮りユーザのプレビューを妨げることがある。
【発明の概要】
【０００３】
したがって、前述の問題を回避するために、一部の端末の撮影プレビューの際、携帯端末の側部にあるボリュームキーを用いて焦点距離が調整されることがある。しかしながら、ボリュームキーの大半は機械式キーであり、ボリュームキーはたいてい、端末の両側の一方の側に配置されている。ボリュームキーが押下されると、押圧力が画像のジッタを惹起し、その結果として撮像品質は低い。
【０００４】
本発明の実施形態は、画像のジッタ、および片手で携帯端末を保持し他方の手で焦点距離調整操作を行って焦点距離を調整することに起因するユーザプレビューを遮るという問題を解決するように、タッチパッドを用いて携帯端末の撮影焦点距離を調整する方法および携帯端末を提供する。
【０００５】
第１の態様によれば、本発明の実施形態は、タッチパッドを用いて携帯端末の撮影焦点距離を調整する方法を提供し、方法は、携帯端末に適用され、携帯端末は、タッチパッドを備える。方法は、
携帯端末がカメラアプリケーションプログラムに移行して携帯端末のディスプレイ上に撮影プレビュー画面を表示するときに、ユーザがタッチパッドにタッチすることによりトリガされる焦点距離調整開始命令を受信することと、
焦点距離調整開始命令を実行すること、および、焦点距離表示バーをディスプレイ上に表示することとであって、焦点距離表示バーは、ユーザに対して焦点距離調整の程度を提示するのに用いられる、ことと、
ユーザの指がタッチパッド上を動き始めるときに、ユーザの指がタッチパッド上で操作をすることにより生成されるジェスチャタッチ情報を取得することと、
ジェスチャタッチ情報に対応する焦点距離調整命令を決定することと、
焦点距離を焦点距離調整命令にしたがって調整し、焦点距離が調整された後に取得される画像を撮影プレビュー画面上に表示することと、を含む。
【０００６】
第１の態様に関連して、第１の可能な実装方式においては、操作がスライド操作である場合、ユーザの指がタッチパッド上で操作をすることにより生成されるジェスチャタッチ情報を取得することは、
方向情報を有し、かつユーザの指がタッチパッド上をスライドすることによって生成されるスライド軌跡を取得することを含む。
【０００７】
第１の態様の第１の可能な実装方式に関連して、第２の可能な実装方式においては、ジェスチャタッチ情報に対応する焦点距離調整命令を決定することは、
スライド軌跡の軌跡の長さを判定すること、および方向情報にしたがってスライド軌跡のスライド方向を判定することと、
スライド方向にしたがって焦点距離調整方向を判定することであって、焦点距離調整方向は、焦点距離を拡大させるズームインと焦点距離を縮小させるズームアウトとを含む、ことと、
軌跡の長さ、および、軌跡の長さと焦点距離調整量との間の事前に設定された対応関係にしたがって、軌跡の長さに対応する焦点距離調整量を決定すること、および焦点距離調整方向と焦点距離調整量とを含む焦点距離調整命令を取得することと、を含む。
【０００８】
第１の態様の第２の可能な実装方式に関連して、第３の可能な実装方式においては、スライド軌跡は、円形軌跡または直線軌跡を含み、
スライド軌跡が円形軌跡である場合、スライド方向は反時計回り方向または時計回り方向であり、または、
スライド軌跡が直線軌跡である場合、スライド方向は第１方向および第２方向を含み、第１方向および第２方向の一方は、携帯端末のディスプレイの水平方向に沿って右方向であり、他方のものはディスプレイの水平方向に沿って左方向であり、もしくは、第１方向および第２方向の一方はディスプレイの垂直方向に沿って右方向であり、他方のものはディスプレイの垂直方向に沿って左方向である。
【０００９】
第１の態様の第３の可能な実装方式に関連して、第４の可能な実装方式においては、スライド軌跡が円形軌跡である場合、焦点距離調整方向をスライド方向にしたがって判定することは、
スライド方向が反時計回り方向である場合、焦点距離調整方向が焦点距離を縮小させるズームアウトであると判定し、もしくは、スライド方向が時計回り方向である場合、焦点距離調整方向が焦点距離を拡大させるズームインであると判定し、または
スライド方向が反時計回り方向である場合、焦点距離調整方向が焦点距離を拡大させるズームインであると判定し、もしくは、スライド方向が時計回り方向である場合、焦点距離調整方向が焦点距離を縮小させるズームアウトであると判定し、または、
スライド軌跡が直線軌跡である場合、スライド方向にしたがって焦点距離調整方向を判定することは、
スライド方向が第１方向である場合、焦点距離調整方向が焦点距離を拡大させるズームインであると判定し、もしくは、スライド方向が第２方向である場合、焦点距離調整方向が焦点距離を縮小させるズームアウトであると判定することを含む。
【００１０】
第１の態様に関連して、第５の可能な実装方式においては、操作がタップ操作である場合、ユーザの指がタッチパッド上で操作をすることにより生成されるジェスチャタッチ情報を取得することは、
ユーザの指によってタッチパッド上で行われるタップ操作のタップ量を取得することを含む。
【００１１】
第５の可能な実装方式に関連して、第６の可能な実装方式においては、タップ量は、タップとダブルタップとを含み、ジェスチャタッチ情報に対応する焦点距離調整命令を決定することは、
タップ操作がタップである場合、焦点距離を拡大させるズームインを指示するのに用いられる焦点距離調整命令を事前に設定された単位焦点距離調整量にしたがって生成し、もしくは、タップ操作がダブルタップである場合、焦点距離を縮小させるズームアウトを指示するのに用いられる焦点距離調整命令を単位焦点距離調整量にしたがって生成し、または、
タップ操作がタップである場合、焦点距離を縮小させるズームアウトを指示するのに用いられる焦点距離調整命令を単位焦点距離調整量にしたがって生成し、もしくは、タップ操作がダブルタップである場合、焦点距離を拡大させるズームインを指示するのに用いられる焦点距離調整命令を単位焦点距離調整量にしたがって生成することを含む。
【００１２】
第１の態様または前述の実装方式のいずれか１つに関連して、第７の可能な実装方式においては、タッチパッドは背面指紋タッチパッドまたは前面指紋タッチパッドである。
【００１３】
第２の態様によれば、携帯端末が提供され、携帯端末はタッチパッドを備え、携帯端末は、
携帯端末がカメラアプリケーションプログラムに移行して携帯端末のディスプレイ上に撮影プレビュー画面を表示する場合に、ユーザがタッチパッドにタッチすることによりトリガされる焦点距離調整開始命令を受信するように構成されたトリガ部と、
焦点距離調整開始命令を実行して、焦点距離表示バーをディスプレイ上に表示するように構成された表示部であって、焦点距離表示バーは、ユーザに対して焦点距離調整の程度を提示するのに用いられる、表示部と、
ユーザの指がタッチパッド上を動き始めるときに、ユーザの指がタッチパッド上で操作をすることにより生成されるジェスチャタッチ情報を取得するように構成された収集部と、
ジェスチャタッチ情報に対応する焦点距離調整命令を決定するように構成された判定部と、
焦点距離を焦点距離調整命令にしたがって調整し、焦点距離が調整された後に取得される画像を撮影プレビュー画面上に表示するように構成された処理部と、をさらに備える。
【００１４】
第２の態様に関連して、第１の可能な実装方式においては、操作がスライド操作である場合、収集部が、
方向情報を有し、かつユーザの指がタッチパッド上をスライドすることによって生成されるスライド軌跡を取得するように特に構成される。
【００１５】
第１の可能な実装方式に関連して、第２の可能な実装方式においては、判定部は、
スライド軌跡の軌跡の長さを判定し、方向情報にしたがってスライド軌跡のスライド方向を判定するように構成された軌跡認識部と、
スライド方向にしたがって焦点距離調整方向を判定するように構成されたズーム制御部であって、焦点距離調整方向は、焦点距離を拡大させるズームインおよび焦点距離を縮小させるズームアウトを含む、ズーム制御部と、
軌跡の長さ、および、軌跡の長さと焦点距離調整量との間の事前に設定された対応関係にしたがって、軌跡の長さに対応する焦点距離調整量を決定して、焦点距離調整方向と焦点距離調整量とを含む焦点距離調整命令を取得するように構成された調整制御部と、を備える。
【００１６】
第２の態様に関連して、第３の可能な実装方式においては、操作がタップ操作である場合、収集部は、
ユーザの指によってタッチパッド上で行われるタップ操作のタップ量を取得するように特に構成される。
【００１７】
第６の可能な実装方式に関連して、第７の可能な実装方式においては、タップ量は、タップとダブルタップとを含み、判定部は、
タップ操作がタップである場合、焦点距離を拡大させるズームインを指示するのに用いられる焦点距離調整命令を事前に設定された単位焦点距離調整量にしたがって生成し、もしくは、タップ操作がダブルタップである場合、焦点距離を縮小させるズームアウトを指示するのに用いられる焦点距離調整命令を単位焦点距離調整量にしたがって生成し、または、
タップ操作がタップである場合、焦点距離を縮小させるズームアウトを指示するのに用いられる焦点距離調整命令を単位焦点距離調整量にしたがって生成し、もしくは、タップ操作がダブルタップである場合、焦点距離を拡大させるズームインを指示するのに用いられる焦点距離調整命令を単位焦点距離調整量にしたがって生成するように特に構成される。
【００１８】
第２の態様または前述の実装方式のいずれか１つに関連して、第４の可能な実装方式においては、タッチパッドは背面指紋タッチパッドまたは前面指紋タッチパッドである。
【００１９】
第３の態様によれば、携帯端末が提供され、携帯端末はタッチパッドを備え、携帯端末は、プロセッサと、メモリと、インタフェースとをさらに備え、プロセッサと、メモリと、インタフェースとは、バスを用いて接続され、インタフェースは別のデバイスと相互作用するように構成され、メモリは、ソフトウェアプログラムを格納するように構成され、プロセッサは、ソフトウェアプログラムを実行するように構成され、プロセッサはソフトウェアプログラムを実行して、
携帯端末がカメラアプリケーションプログラムに移行して携帯端末のディスプレイ上に撮影プレビュー画面を表示するときに、ユーザがタッチパッドにタッチすることによりトリガされる焦点距離調整開始命令を受信し、
焦点距離調整開始命令を実行して、焦点距離表示バーをディスプレイ上に表示し、焦点距離表示バーは、ユーザに対して焦点距離調整の程度を提示するのに用いられ、
ユーザの指がタッチパッド上を動き始めるときに、ユーザの指がタッチパッド上で操作をすることにより生成されるジェスチャタッチ情報を取得し、
ジェスチャタッチ情報に対応する焦点距離調整命令を決定し、
焦点距離を焦点距離調整命令にしたがって調整し、焦点距離が調整された後に取得される画像を撮影プレビュー画面上に表示する。
【００２０】
第３の態様に関連して、第１の可能な実装方式においては、操作がスライド操作である場合、プロセッサは、ソフトウェアプログラムを実行して特に、
方向情報を有し、かつユーザの指がタッチパッド上をスライドすることによって生成されるスライド軌跡を取得する。
【００２１】
第１の可能な実装方式に関連して、第２の可能な実装方式においては、プロセッサは、ソフトウェアプログラムを実行して特に、
スライド軌跡の軌跡の長さを判定して、方向情報にしたがってスライド軌跡のスライド方向を判定し、
スライド方向にしたがって焦点距離調整方向を判定し、焦点距離調整方向は、焦点距離を拡大させるズームインおよび焦点距離を縮小させるズームアウトを含み、
軌跡の長さ、および、軌跡の長さと焦点距離調整量との間の事前に設定された対応関係にしたがって、軌跡の長さに対応する焦点距離調整量を決定して、焦点距離調整方向と焦点距離調整量とを含む焦点距離調整命令を取得する。
【００２２】
第３の態様に関連して、第３の可能な実装方式においては、操作がタップ操作である場合、プロセッサはソフトウェアプログラムを実行して特に、
ユーザの指によってタッチパッド上で行われるタップ操作のタップ量を取得する。
【００２３】
第６の可能な実装方式に関連して、第７の可能な実装方式においては、タップ量は、タップとダブルタップとを含み、プロセッサは、ソフトウェアプログラムを実行して特に、
タップ操作がタップである場合、焦点距離を拡大させるズームインを指示するのに用いられる焦点距離調整命令を事前に設定された単位焦点距離調整量にしたがって生成し、もしくは、タップ操作がダブルタップである場合、焦点距離を縮小させるズームアウトを指示するのに用いられる焦点距離調整命令を単位焦点距離調整量にしたがって生成し、または、
タップ操作がタップである場合、焦点距離を縮小させるズームアウトを指示するのに用いられる焦点距離調整命令を単位焦点距離調整量にしたがって生成し、もしくは、タップ操作がダブルタップである場合、焦点距離を拡大させるズームインを指示するのに用いられる焦点距離調整命令を単位焦点距離調整量にしたがって生成する。
【００２４】
第１の態様または前述の実装方式のいずれか１つに関連して、第４の可能な実装方式においては、タッチパッドは背面指紋タッチパッドまたは前面指紋タッチパッドである。
【００２５】
本発明の実施形態は、タッチパッドを用いて携帯端末の撮影焦点距離を調整する方法、および携帯端末を提供し、携帯端末は、タッチパッドを備える。携帯端末がカメラアプリケーションプログラムに移行して、携帯端末のディスプレイ上に撮影プレビュー画面を表示するときに、ユーザがタッチパッドにタッチすることによりトリガされる焦点距離調整開始命令が受信される。焦点距離調整開始命令が実行され、焦点距離表示バーがディスプレイ上に表示され、ユーザに対して焦点距離調整の程度を提示するのに用いられる。ユーザの指がタッチパッド上を動き始めるときに、スライド軌跡またはタップ量といった、ユーザの指がタッチパッド上で操作をすることにより生成されるジェスチャタッチ情報が取得される。そして、ジェスチャタッチ情報に対応する焦点距離調整命令が判定される。最後に、焦点距離が焦点距離調整命令にしたがって調整され、焦点距離が調整された後に取得される画像が撮影プレビュー画面上に表示される。ユーザは１本の指を使うだけで撮影焦点距離を調整することができ、画像のジッタ、および片手で携帯端末を保持し他方の手で焦点距離調整操作を行って焦点距離を調整することに起因するユーザプレビューを遮るという問題を解決できるようになることがわかる。
【図面の簡単な説明】
【００２６】
本発明の実施形態における技術的解決策をより明確に記載するために、以下、実施形態を記載するのに必要な添付の図面について、簡単に説明する。明らかに、以下の説明における添付の図画は、単に本発明の一部の実施形態を示したものであり、当業者は依然として、創作的な努力をすることなく、これらの添付の図面から他の図面を導出することがある。
【図１】本発明の実施形態による携帯端末の概略構成図である。
【図２】本発明の実施形態によるタッチパッドを用いることにより携帯端末の撮影焦点距離を調整するための方法の概略流れ図である。
【図３】本発明の実施形態によるタッチパッドを用いた携帯端末の撮影焦点距離を調整する別の方法の概略流れ図である。
【図４】本発明の実施形態による撮影プレビュー画面の模式図である。
【図５】本発明の実施形態によるタッチパッドを用いることにより端末の撮影焦点距離を調整するための方法の概略動作図である。
【図６】本発明の実施形態によるタッチパッドを用いることにより端末の撮影焦点距離を調整する方法の別の概略動作図である。
【図７】本発明の実施形態によるタッチパッドを用いることにより端末の撮影焦点距離を調整する方法さらなる別の概略動作図である。
【図８】本発明の実施形態によるタッチパッドを用いることにより端末の撮影焦点距離を調整する方法の概略流れ図である。
【図９】本発明の実施形態によるタッチパッドを用いることにより端末の撮影焦点距離を調整するさらなる別の方法の概略流れ図である。
【図１０】本発明の実施形態によるタッチパッドを用いることにより端末の撮影焦点距離を調整するさらにまた別の方法の概略流れ図である。
【図１１】本発明の実施形態による別の携帯端末の概略構成図である。
【図１２】本発明の実施形態によるさらなる別の携帯端末の概略構成図である。
【発明を実施するための形態】
【００２７】
本発明の実施形態の目的、技術的解決策および有利な点について明確にするため、以下、本発明の実施形態における技術的解決策について、本発明の実施形態における添付の図面を参照しつつ、明確かつ完全に説明する。明らかに、記載された実施形態は本発明の実施形態の一部であってすべてではない。本発明の実施形態に基づいて創作的な取り組みなしに当業者によって得られる他のすべての実施形態が本発明の保護範囲に含まれるべきである。
【００２８】
本発明の実施形態は、携帯端末１００を提供する。携帯端末は、携帯電話、タブレットコンピュータ、携帯情報端末、販売時点情報管理（Ｐｏｉｎｔ  ｏｆ  Ｓａｌｅｓ、略してＰＯＳ）、車載コンピュータ等を含んでもよいが、これらに限定されるものではない。
【００２９】
携帯端末１００の一例として携帯電話を用いており、図１は本発明のこの実施形態に関連する携帯端末１００の部分構成図を示したものである。図１を参照すると、携帯端末１００は、高周波（Ｒａｄｉｏ  Ｆｒｅｑｕｅｎｃｙ、略してＲＦ）装置１１０、メモリ１２０、入力装置１３０、ディスプレイ１４０、センサ１５０、低周波回路１６０、ワイヤレスフィデリティ（ｗｉｒｅｌｅｓｓ  ｆｉｄｅｌｉｔｙ、略してＷｉＦｉ）モジュール１７０、プロセッサ１８０、および電源管理部１９０等のコンポーネントを備える。当業者は、図１に示す携帯電話の構成は携帯電話に対するいかなる限定をも構成することはなく、代わりに、携帯電話は図に示したものより多いまたは少ないコンポーネントを備えてよく、または、いくつかのコンポーネントを組み合わせてもよく、または、異なるコンポーネント配置を備えるようにしてよいることを理解することがある。
【００３０】
以下、携帯端末１００の各内部コンポーネントについて、図１を参照して具体的に説明する。
【００３１】
ＲＦ回路１１０は、情報受信もしくは情報送信プロセスまたはコールプロセスにおいて信号を受信および送信するように構成してよい。特に、基地局のダウンリンク情報を受信した後に、ＲＦ回路１１０は、ダウンリンク情報をプロセッサ１８０に処理のために送信して、事前に設定されたアップリンクデータを基地局に送信する。一般的には、ＲＦ回路１１０は、アンテナと、少なくとも１つの増幅器、送受信機、結合器、低雑音増幅器（Ｌｏｗ  Ｎｏｉｓｅ  Ａｍｐｌｉｆｉｅｒ、略してＬＮＡ）、デュプレクサ等を備えるがこれらに限定されるものではない。また、ＲＦ回路１１０は、さらに、無線通信によって、ネットワークおよび別装置と通信してよい。無線通信は、任意の通信標準またはプロトコルを利用してよく、それは、グローバル移動通信システム（Ｇｌｏｂａｌ  Ｓｙｓｔｅｍ  ｆｏｒ  Ｍｏｂｉｌｅ  ｃｏｍｍｕｎｉｃａｔｉｏｎｓ、略してＧＳＭ）、汎用パケット無線サービス（Ｇｅｎｅｒａｌ  Ｐａｃｋｅｔ  Ｒａｄｉｏ  Ｓｅｒｖｉｃｅ、略してＧＰＲＳ）、符号分割多元接続（Ｃｏｄｅ  Ｄｉｖｉｓｉｏｎ  Ｍｕｌｔｉｐｌｅ  Ａｃｃｅｓｓ、略してＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）、ロングタームエボリューション（Ｌｏｎｇ  Ｔｅｒｍ  Ｅｖｏｌｕｔｉｏｎ、略してＬＴＥ）、電子メール、ショートメッセージサービス（Ｓｈｏｒｔ  Ｍｅｓｓａｇｉｎｇ  Ｓｅｒｖｉｃｅ、略してＳＭＳ）等が含まれるが、これらに限定されるものではない。
【００３２】
メモリ１２０は、ソフトウェアプログラムおよびコンピュータ命令を格納するように構成してよい。メモリ１２０に格納された、ソフトウェアプログラムまたはコンピュータ命令を実行することで、プロセッサ１８０は、携帯端末１００の様々な機能アプリケーションを実行してデータ処理を行う。メモリ１２０は主に、プログラム格納領域とデータ格納領域とを含むことがある。プログラム可能領域は、オペレーティングシステム、少なくとも１つの機能（サウンド再生機能または画像再生機能など）によって必要とされるアプリケーションプログラム等を格納してよく、データ格納領域は、携帯端末１００の利用にしたがって作成されたデータ（音声データや連絡先など）等を格納してよい。さらに、メモリ１２０は、高速ランダムアクセスメモリを含んでよく、さらに、少なくとも１つの磁気ディスクメモリコンポーネント、フラッシュメモリコンポーネント、または別の揮発性ソリッドステートメモリコンポーネントなどの不揮発性メモリ（Ｎｏｎ  Ｖｏｌａｔｉｌｅ  Ｍｅｍｏｒｙ、略してＮＶＭ）を含んでよい。
【００３３】
入力装置１３０は、入力された数値情報または文字情報を受け付け、携帯端末１００のユーザ設定および機能制御に関するキー信号入力を生成するように構成してよい。具体的には、入力装置１３０は、タッチパッド１３１と、タッチパネル１３２と、別の入力装置１３３とを含むようにしてよい。タッチパッド１３１は、指紋タッチパッドとしてよく、指紋タッチパッドは、ユーザの指紋を認識することができ、さらにはユーザのタッチ操作を受け付けることができる。指紋タッチパッドは、前面指紋タッチパッド、または背面指紋タッチパッドでよい。本実施形態においては、焦点距離調整を容易にするために背面タッチパッドが用いられてもよい。タッチパネル１３２は、タッチパネル１３２上またはタッチパネル１３２近傍でのユーザのタッチ操作（例えば、指またはスタイラスなど、任意の適切なオブジェクトまたはアクセサリを用いることによりタッチパネル１３２上またはタッチパネル１３２近傍でのユーザの操作）を収集し、事前に設定されたプログラムにしたがって、対応する接続機器を駆動することができる。任意選択的に、タッチパネル１３２は、２つの部分、すなわち、タッチ検出装置とタッチコントローラとを含むようにしてよい。タッチ検出装置は、ユーザのタッチ位置を検出し、タッチ操作によってもたらされる信号を検出し、信号をタッチコントローラに転送する。タッチコントローラは、タッチ検出装置からタッチ情報を受信し、タッチ情報をタッチポイントの座標に変換し、次にタッチポイントの座標をプロセッサ１８０に送信し、プロセッサ１８０によって送信されたコマンドを受信および実行することができる。さらに、タッチパネル１３２は、抵抗膜方式、赤外線方式、超音波表面弾性波方式といった複数の方式において実装されてよい。入力装置１３０は、タッチパネル１３２に加えて別の入力装置１３３を含むようにしてよい。具体的には、別の入力装置１３３は、１つまたは複数の物理的キーボード、ファンクションキー（音量コントロールキーまたはオン／オフキーなど）、トラックボール、マウス、操作レバー等を含んでよいがこれらに限定されるものではない。
【００３４】
ディスプレイ１４０は、ユーザによって入力された情報、またはユーザによって提供された情報、および携帯端末１００の様々なメニューを表示するように構成するようにしてよい。ディスプレイ１４０は、ディスプレイパネル１４１を備えるようにしてよい。任意選択的に、ディスプレイパネル１４１を構成するために、液晶ディスプレイ（Ｌｉｑｕｉｄ  Ｃｒｙｓｔａｌ  Ｄｉｓｐｌａｙ、略してＬＣＤ）または有機発光ダイオード（Ｏｒｇａｎｉｃ  Ｌｉｇｈｔ−Ｅｍｉｔｔｉｎｇ  Ｄｉｏｄｅ、略してＯＬＥＤ）といった方式が使用されることがある。さらに、タッチパネル１３２は、ディスプレイパネル１４１を覆うようにしてよい。タッチ操作をタッチパネル１３２上またはタッチパネル１３２近傍で検出するときに、タッチパネル１３２は、タッチイベントの種別を判定するためにタッチ操作をプロセッサ１８０に転送し、次にプロセッサ１８０は、タッチイベントの種別に応じて、対応する視覚的出力をディスプレイパネル１４１上に提供する。図１においては、タッチパネル１３２およびディスプレイパネル１４１は、携帯端末１００の入力機能および出力機能を実装するために２つの独立したコンポーネントとして用いられる。しかしながら、いくつかの実施形態においては、タッチパネル１３２およびディスプレイパネル１４１は、携帯端末１００の入力機能および出力機能を実装するために一体化してよい。
【００３５】
携帯端末１００は、光センサ、モーションセンサおよび別のセンサなどの少なくとも１種類のセンサ１５０を備えることがある。具体的には、光センサは、周囲光センサおよび近接センサを含むことがある。周囲光センサは、周囲光の明るさに応じてディスプレイパネル１４１の輝度を調整してよく、また、携帯端末１００が耳に近づいたときに、近接センサは、ディスプレイパネル１４１および／またはバックライトをオフにしてよい。モーションセンサの方式の１つとして、加速度センサは各方向（一般的には３軸）における加速度の値を検出することができ、静止モードで重力の値および方向を検出することができるし、また、電話ジェスチャ（ランドスケープモードとポートレートモードとの間の画面切替え、関連するゲーム、および磁力計によるジェスチャキャリブレーション）、振動認識に関連する機能（歩数計またはストロークなど）等を識別するアプリケーションに用いることができる。携帯端末１００については、ジャイロスコープ、気圧計、湿度計、温度計、赤外線センサ、および他のセンサがさらに構成されることができるが、これらについてはここでは繰り返し詳細に説明されない。
【００３６】
低周波回路１６０、スピーカ１６１およびマイクロホン１６２は、ユーザと携帯端末１００との間のオーディオインタフェースを提供することがある。低周波回路１６０は、受信した音声データから変換された電気信号をスピーカ１６１に送信してよく、スピーカ１６１は、出力のために、電気信号を音声信号に変換する。別の態様においては、マイクロホン１６２は、収集された音声信号を電気信号に変換し、電気信号は、周波数回路１６０によって受信された後に、音声データに変換され、音声データは、例えば、別の携帯電話に送信するためのＲＦ回路１０８へ出力される、または、音声データはさらなる処理のためにメモリ１２０へ出力される。
【００３７】
ＷｉＦｉは、短距離無線送信技術に属する。携帯端末１００は、ＷｉＦｉモジュール１７０を用いて、ユーザが電子メールを受信および送信し、ウェブページを閲覧し、ストリーミングメディアにアクセスする等を支援する。ＷｉＦｉモジュール１７０は、ユーザにブロードバンドインターネットアクセスを提供する。図１はＷｉＦｉモジュール１７０を示すが、ＷｉＦｉモジュール１７０は携帯端末１００の必須部分ではなく、本発明の本質を変更せずに必要性に応じて完全に省略されることあることが理解され得る。
【００３８】
プロセッサ１８０は、携帯端末１００のコントロールセンタであり、様々なインタフェースやケーブルを用いて、携帯電話全体の様々な部分に接続し、メモリ１２０に格納されるソフトウェアプログラムもしくはモジュール、または両方を動作させまたは実行することにより、かつメモリ１２０に格納されたデータを呼び出すことにより、携帯端末１００の様々な機能およびデータ処理を実行し、携帯電話に対する全体的な監視を行うようにする。任意選択的に、プロセッサ１８０は、１つまたは複数の処理部を備えるようにしてよい。好ましくは、アプリケーションプロセッサおよびモデムプロセッサは、プロセッサ１８０に一体化されていてもよい。アプリケーションプロセッサは、主としてオペレーティングシステム、アプリケーションプログラム等を処理し、モデムプロセッサは主として無線通信を処理する。前述のモデムプロセッサはプロセッサ１８０に一体化しないことがあることが理解され得る。
【００３９】
携帯端末１００は、各コンポーネントに電力を供給する電源１９０（バッテリなど）をさらに備える。好ましくは、電源は、電源管理システムを用いることにより充電、放電および電力消費の管理といった機能を実装するために、電力管理システムを用いてプロセッサ１８０に論理的に接続されるようにしてよい。
【００４０】
図示されていないが、携帯端末１００は、カメラ、ブルートゥースモジュール等をさらに備えるようにしてよいが、これらについてはここでは繰り返し説明しない。
【００４１】
以下、本実施形態において提供され、タッチパッドを用いることにより撮影焦点距離を調整することができる携帯端末について詳細に説明する。
【００４２】
携帯端末１００のユーザが写真を撮りたいとき、ユーザは、指を使って、ディスプレイ１４０上に表示されるカメラアプリケーションプログラムのアイコンをタップする必要がある。この場合、ディスプレイパネル１４１を覆っているタッチパネル１３２は、ユーザの指によるタップ操作を検出し、タッチ信号を生成し、タッチ信号をプロセッサ１８０に送信する。プロセッサ１８０は、タッチ信号にしたがってタッチイベントの種別を判定し、プロセッサ１８０は、タッチイベントが、ユーザがカメラアプリケーションプログラムをタップすることであることを判定した後に、カメラアプリケーションプログラムを実行する。
【００４３】
この場合、携帯端末１００は、カメラアプリケーションプログラムに移行して携帯端末１００のディスプレイ１４０上に撮影プレビュー画面を表示し、カメラによって取得される画像が、撮影プレビュー画面上に表示される。ユーザが撮影焦点距離を調整する必要があるときには、指がタッチパッド１３１上に置かれる必要があり、ユーザが指をタッチパッド１３１上に置くときに、タッチパッド１３１がトリガされて、焦点距離調整開始命令を生成して焦点距離調整開始命令をプロセッサ１８０に送信する。そして、プロセッサ１８０は、焦点距離調整開始命令を実行する。プロセッサは、表示命令をディスプレイパネル１４１に送信し、ディスプレイパネル１４１は、表示命令を実行して、ディスプレイ１４０上に表示された撮影プレビュー画面上に焦点距離表示バーを表示する。図３に示すように、焦点距離表示バーは、ユーザに対して焦点距離調整の程度を提示するのに用いられる。
【００４４】
ユーザの指がタッチパッド１３１上を動き始めると、タッチパッド１３１は、タッチパッド１３１上で操作をしているユーザの指によって生成されるジェスチャタッチ情報を取得する。タッチ情報は、円形軌跡または直線軌跡といった方向情報をもつスライド軌跡であり得る。さらに、スライド軌跡はまた、楕円形軌跡、正方形軌跡または円弧形軌跡といった別の軌跡であることもある。楕円形軌跡または正方形軌跡といった閉じたスライド軌跡の実装方法は、円形軌跡の実装方法と同様であり、また、円弧形軌跡といった閉じていないスライド軌跡の実装方法は、直線軌跡の実装方法と同様である。代替的には、ジェスチャタッチ情報はタップ量であることがある。
【００４５】
そして、タッチパッド１３１は、取得されたジェスチャタッチ情報をプロセッサ１８０に送信し、プロセッサ１８０は、ジェスチャタッチ情報に対応する焦点距離調整命令を決定して焦点距離調整命令をカメラに送信する。
【００４６】
最後に、カメラは、焦点距離調整命令にしたがって焦点距離を調整し、焦点距離が調整された後に、取得される画像をプロセッサ１８０に返す。ディスプレイパネル１４１を用いることにより、プロセッサ１８０は、ディスプレイ１４０上にある撮影プレビュー画面上に、焦点距離が調整された後に取得される画像を表示する。
【００４７】
以下、プロセッサ１８０がジェスチャタッチ情報に対応する焦点距離調整命令を決定するプロセスを詳細に説明する。
【００４８】
前述のジェスチャタッチ情報が、方向情報をもつスライド軌跡であるか、またはタップ量であるかは、ユーザの指がタッチパッド１３１上で行う操作による。操作がスライド操作である場合、プロセッサ１８０は、方向情報を有し、かつユーザの指がタッチパッド１３１上をスライドすることにより生成されるスライド軌跡を取得する。
【００４９】
方向情報を有するスライド軌跡を取得した後に、プロセッサ１８０は、
スライド軌跡の軌跡の長さを判定し、方向情報にしたがってスライド軌跡のスライド方向を判定するように特に構成されている。例えば、ユーザの指がタッチパッド１３１上で直線的スライドを行う場合、プロセッサ１８０は、ユーザの指によってタッチパッド１３１上で行われる直線的スライドの開始点座標および終了点座標にしたがって、スライド軌跡の軌跡の長さ、およびスライド方向を判定してよい。ユーザの指がタッチパッド１３１上で円形スライドを行う場合、プロセッサ１８０は、以下の態様にしたがって、軌跡の長さを計算してよい。すなわち、単位軌跡の長さがタッチパッド１３１上の円形スライドの１つの円に対してあらかじめ設定され、スライド軌跡の軌跡の長さは、ユーザの指がスライドする円の数、および単位軌跡の長さにしたがって取得することができる。さらに、スライド方向が時計回り方向または反時計回り方向であるかは、指によってタッチパッド１３１上で行われる円形スライドの開始点時刻および終了点時刻にしたがって判定することができる。代替的には、指のスライドのプロセスにおける軌跡についてサンプリングを行うことにより、プロセッサ１８０は、計算により、サンプリングポイントの座標および時間にしたがって、スライド軌跡の軌跡の長さおよびスライド方向を取得することができる。いうまでもなく、前述の方法は例にすぎず、それらの方法が含まれるもののそれらに限定されるものではない。
【００５０】
スライド方向を判定した後に、プロセッサ１８０は、メモリ１２０にあらかじめ格納済みのスライド方向と焦点距離調整方向との間の対応関係にアクセスし、対応関係にしたがって、判定されたスライド方向を用いて焦点距離調整方向を判定するが、焦点距離調整方向は、焦点距離を拡大させるズームインと焦点距離を縮小させるズームアウトとを含む。
【００５１】
例えば、スライド軌跡が円形軌跡である場合、スライド方向は、反時計回り方向または時計回り方向であり得る。
【００５２】
スライド方向が反時計回り方向である場合、プロセッサ１８０は焦点距離調整方向が焦点距離を縮小させるズームアウトであると判定し、または、スライド方向が時計回り方向である場合、プロセッサ１８０は焦点距離調整方向が焦点距離を拡大させるズームインであると判定する。
【００５３】
代替的には、スライド方向が反時計回り方向である場合、プロセッサ１８０は焦点距離調整方向が焦点距離を拡大させるズームインであると判定し、または、スライド方向が時計回り方向である場合、プロセッサ１８０は焦点距離調整方向が焦点距離を縮小させるズームアウトであると判定する。
【００５４】
スライド軌跡が直線軌跡である場合、スライド方向は第１方向および第２方向を含む。第１方向および第２方向の一方は、携帯端末のディスプレイ１４０の水平方向に沿って右方向であり、他方のものは、ディスプレイ１４０の水平方向に沿って左方向であり、または、第１方向および第２方向の一方は、ディスプレイ１４０の垂直方向に沿って右方向であり、他方のものは、ディスプレイ１４０の垂直方向に沿って左方向である。
【００５５】
スライド方向が第１方向である場合、プロセッサ１８０は焦点距離調整方向が焦点距離を拡大させるズームインであると判定し、または、スライド方向が第２方向である場合、プロセッサ１８０は焦点距離調整方向が焦点距離を縮小させるズームアウトであると判定する。
【００５６】
いうまでもなく、前述のスライド方向と焦点距離調整方向との対応関係は例にすぎず、これが含まれるがこれに限定されるものではない。
【００５７】
焦点距離調整方向を判定した後に、プロセッサ１８０は、取得された軌跡の長さ、および、軌跡の長さと焦点距離調整量との間の事前に設定された対応関係にしたがって、軌跡の長さに対応する焦点距離調整量を決定して、焦点距離調整方向と焦点距離調整量とを含む焦点距離調整命令を取得する。
【００５８】
代替的には、別の実装形式においては、プロセッサ１８０は、ユーザの指のスライドプロセスにおけるスライド軌跡の相対的軌跡の長さを判定し、方向情報にしたがってスライド軌跡のスライド方向を判定してよい。相対的軌跡の長さは、最後の焦点距離調整命令が生成されたときにユーザの指が置かれていた位置からユーザの指の現在の位置までユーザの指のスライドした軌跡の長さである。スライド方向を判定する方法は前述の方法と同様であり、ここでは繰り返し説明しない。
【００５９】
スライド方向を判定した後に、プロセッサ１８０は、メモリ１２０にあらかじめ格納済みのスライド方向と焦点距離調整方向との間の対応関係にアクセスし、対応関係にしたがって、判定されたスライド方向を用いて焦点距離調整方向を判定する。焦点距離調整方向は、焦点距離を拡大させるズームインと焦点距離を縮小させるズームアウトとを含む。具体的な方法は前述の方法と同様であり、ここでは繰り返し説明しない。
【００６０】
焦点距離調整方向を判定した後に、プロセッサ１８０は、相対的軌跡の長さが事前に設定された単位長さに達したかどうかを判定する。単位長さに達する場合、プロセッサ１８０は、焦点距離調整命令を生成する。焦点距離調整命令は、焦点距離調整方向と事前に設定された単位焦点距離調整量とを含み、、スライド方向およびスライド軌跡の相対的軌跡の長さを判定するステップを再度実行する。この実装態様を用いる利点は、ユーザの指のスライドにともなって撮影焦点距離が拡大または縮小され得ることである。焦点距離調整命令は、１単位焦点距離調整量の変化のたびに生成される。したがって、ディスプレイ１４０に反映される効果は、撮影プレビュー画面上の画像がユーザの指のスライドにともなって変化するというものであり、ユーザの指がスライドをやめると焦点距離調整もまたそれに応じて停止し、これにより、ユーザが焦点距離調整の程度を制御することをより容易にする。
【００６１】
ユーザの指によってタッチパッド１３１上で行われる操作がタップ操作である場合、プロセッサ１８０によってタッチパッド１３１から取得されるジェスチャタッチ情報は、ユーザの指によってタッチパッド１３１上で行われるタップ操作のタップ量である。
【００６２】
タップ量は、タップおよびダブルタップを含む。タップ量を取得した後に、プロセッサ１８０は、メモリ１２０にアクセスして、タップ量と焦点距離調整方向との間で、かつメモリ１２０に格納済みの対応関係、および、焦点距離を一度調整するための単位焦点距離調整量を取得し、これらは焦点距離調整命令を生成するのに用いられる。
【００６３】
具体的には、タップ操作がタップである場合、プロセッサ１８０は、事前に設定された単位焦点距離調整量にしたがって、焦点距離を拡大させるズームインを指示するのに用いられる焦点距離調整命令を生成し、もしくは、タップ操作がダブルタップである場合、プロセッサ１８０は、単位焦点距離調整量にしたがって、焦点距離を縮小させるズームアウトを指示するのに用いられる焦点距離調整命令を生成し、または、
タップ操作がタップである場合、プロセッサ１８０は、単位焦点距離調整量にしたがって、焦点距離を縮小させるズームアウトを指示するのに用いられる焦点距離調整命令を生成し、もしくは、タップ操作がダブルタップである場合、プロセッサ１８０は、単位焦点距離調整量にしたがって、焦点距離を拡大させるズームインを指示するのに用いられる焦点距離調整命令を生成する。
【００６４】
いうまでもなく、タップ量にしたがって焦点距離調整命令を決定する前述の方法は例にすぎず、これが含まれるものがこれに限定されるものではない。さらに、プロセッサによって実行される前述のプロセスは、ソフトウェアプログラムの形態でメモリ１２０に格納され得る。ソフトウェアプログラムは、カメラアプリケーションプログラムの一部であることがある。ユーザの指がディスプレイ１４０上に表示されたカメラアプリケーションプログラムのアイコンをタップしたとき、カメラアプリケーションプログラムが動作を開始した後に、ユーザの指がタッチパッド１３１をタッチしたとき、プロセッサ１８０はソフトウェアプログラムを実行して前述のプロセスを実行する。
【００６５】
任意選択的に、タッチパッド１３１は、背面指紋タッチパッドまたは前面指紋タッチパッドとしてよい。
【００６６】
本発明のこの実施形態は、携帯端末を提供し、携帯端末は、タッチパッドを含む。携帯端末がカメラアプリケーションプログラムに移行して携帯端末のディスプレイ上に撮影プレビュー画面を表示するときに、ユーザがタッチパッドにタッチすることによりトリガされる焦点距離調整開始命令が受信される。焦点距離調整開始命令が実行され、焦点距離表示バーがディスプレイ上に表示されてユーザに対して焦点距離調整の程度を提示するのに用いられる。ユーザの指がタッチパッド上で動き始めると、スライド軌跡またはタップ量といった、ユーザの指がタッチパッド上で操作をすることにより生成されるジェスチャタッチ情報が取得される。そして、ジェスチャタッチ情報に対応する焦点距離調整命令が判定される。最後に、焦点距離が、焦点距離調整命令にしたがって調整されて、焦点距離が調整された後に取得される画像が撮影プレビュー画面上に表示される。ユーザは１本の指を使うだけで撮影焦点距離を調整することができ、画像のジッタ、および片手で携帯端末を保持して他方の手で焦点距離調整操作を行って焦点距離を調整することに起因するユーザプレビューを遮るという問題を解決できるようになることがわかる。
【００６７】
本発明の実施形態は、タッチパッドを用いて携帯端末の撮影焦点距離を調整するための方法を提供する。図２に示すように、方法は、以下のステップを含む：
【００６８】
ステップ１０１：携帯端末がカメラアプリケーションプログラムに移行して、携帯端末のディスプレイ上に撮影プレビュー画面を表示したとき、ユーザがタッチパッドにタッチすることによりトリガされる焦点距離調整開始命令を受信する。
【００６９】
ステップ１０２：焦点距離調整開始命令を実行し、焦点距離表示バーをディスプレイ上に表示するが、焦点距離表示バーは、ユーザに対して焦点距離調整の程度を提示するのに用いられる。
【００７０】
ステップ１０３：ユーザの指がタッチパッド上を動き始めたとき、ユーザの指がタッチパッド上で操作をすることにより生成されるジェスチャタッチ情報を取得する。
【００７１】
ステップ１０４：ジェスチャタッチ情報に対応する焦点距離調整命令を決定する。
【００７２】
ステップ１０５：焦点距離調整命令にしたがって焦点距離を調整して、焦点距離が調整された後に取得される画像を撮影プレビュー画面上に表示する。
【００７３】
本発明のこの実施形態は、タッチパッドを用いて携帯端末の撮影焦点距離を調整するための方法を提供し、携帯端末は、タッチパッドを備える。携帯端末がカメラアプリケーションプログラムに移行して、携帯端末のディスプレイ上に撮影プレビュー画面を表示すると、ユーザがタッチパッドにタッチすることによりトリガされる焦点距離調整開始命令が受信される。焦点距離調整開始命令が実行され、焦点距離表示バーがディスプレイ上に表示され、ユーザに対して焦点距離調整の程度を提示するのに用いられる。ユーザの指がタッチパッド上を動き始めると、ユーザの指がタッチパッド上で操作をすることにより生成される、スライド軌跡またはタップ量といったジェスチャタッチ情報が取得される。そして、ジェスチャタッチ情報に対応する焦点距離調整命令が判定される。最後に、焦点距離が焦点距離調整命令にしたがって調整され、焦点距離が調整された後に取得される画像が撮影プレビュー画面上に表示される。ユーザは１本の指を使うだけで撮影焦点距離を調整することができ、これにより画像のジッタ、および片手で携帯端末を保持し、他方の手で焦点距離調整操作を行って焦点距離を調整することに起因するユーザプレビューを遮るという問題を解決できるようになることがわかる。
【００７４】
本発明の実施形態において提供される技術的解決策を当業者により明確に理解させるために、以下、本発明の実施形態によるタッチパッドを用いることにより携帯端末の撮影焦点距離を調整するための方法について、具体的な実施形態を用いて詳細に説明する。本実施形態においては、スライド操作およびタップ操作は、ユーザの指によってタッチパッド上で行われる操作の例として別々に用いられている。図３に示すように、ユーザの指によってタッチパッド上で行われる操作がスライド操作である場合、方法は以下のステップを含む：
【００７５】
ステップ２０１：携帯端末がカメラアプリケーションプログラムに移行して、携帯端末のディスプレイ上に撮影プレビュー画面を表示すると、ユーザがタッチパッドにタッチすることによりトリガされる焦点距離調整開始命令を受信する。
【００７６】
ステップ２０２：焦点距離調整開始命令を実行して、焦点距離表示バーをディスプレイ上に表示するが、焦点距離表示バーは、ユーザに対して焦点距離調整の程度を提示するのに用いられる。
【００７７】
例えば、図４は撮影プレビュー画面の模式図であり、焦点距離表示バーは、ユーザに対して焦点距離調整の程度を提示するように、図４に示され得る。
【００７８】
ステップ２０３：ユーザの指がタッチパッド上を動き始めるとき、方向情報を有し、かつユーザの指がタッチパッド上をスライドすることによって生成されるスライド軌跡を取得する。
【００７９】
タッチパッドは、携帯端末の前面タッチパッドまたは背面タッチパッドとしてよい。タッチパッドは、携帯端末の既存のタッチパッド、例えば、前面指紋タッチパッドまたは背面指紋タッチパッドとしてよい。指紋タッチパッドを利用する利点は、新たなタッチパッドを追加的に携帯端末上に配置する必要がないことである。例えば、この実施形態においては、背面指紋タッチパッドが説明のための例として使用される。
【００８０】
スライド軌跡は、円形軌跡および直線軌跡を含むが、これらに限定されない。スライド軌跡はまた、楕円形軌跡、正方形軌跡または円弧形軌跡といった別の軌跡としてよい。楕円形軌跡または正方形軌跡といった閉じたスライド軌跡の実装方法は、円形軌跡の実装方法と同様であり、円弧形軌跡といった閉じていないスライド軌跡の実装方法は、直線軌跡の実装方法と同様である。したがって、円形軌跡および直線軌跡は、以下では説明のための例として別々に用いられる。
【００８１】
ステップ２０４：スライド軌跡の軌跡の長さを判定して、方向情報にしたがってスライド軌跡のスライド方向を判定する。
【００８２】
スライド軌跡が円形軌跡である場合、スライド方向は反時計回り方向または時計回り方向である。携帯端末の背面図が図５に示されている。
【００８３】
スライド軌跡が直線軌跡である場合、スライド方向は第１方向および第２方向を含み、ここで、第１方向および第２方向の一方は、携帯端末のディスプレイの水平方向に沿って右方向であり、他方のものは、ディスプレイの水平方向に沿って左方向であり、これは図６に示されている。または、
第１方向および第２方向の一方は、ディスプレイの垂直方向に沿って右方向であり、他方のものはディスプレイの垂直方向に沿って左方向であり、これは図７に示されている。
【００８４】
軌跡の長さとは、スライド軌跡の全長をいう。スライド軌跡が円形軌跡である場合、スライド軌跡は、ユーザの指がタッチパッド上で円を描くことにより取得されることを理解すべきである。１つの円があることがあり、円を描くことが繰り返されることがある。円を描くことが繰り返されると、軌跡は重ね合わせられる。したがって、スライド軌跡が円形軌跡である場合、軌跡の長さは、ユーザの指によってタッチパッド上で描かれるすべての円の外周の和となるものとする。
【００８５】
ステップ２０５：スライド方向にしたがって、焦点距離調整方向を判定し、焦点距離調整方向は、焦点距離を拡大させるズームインと焦点距離を縮小させるズームアウトとを含む。
【００８６】
例えば、スライド軌跡が円形軌跡であるときは、
スライド方向が反時計回り方向である場合、焦点距離調整方向が焦点距離を縮小させるズームアウトであると判定され、もしくは、スライド方向が時計回り方向である場合、焦点距離調整方向が焦点距離を拡大させるズームインであると判定され、または、
スライド方向が反時計回り方向である場合、焦点距離調整方向が焦点距離を拡大させるズームインであると判定され、もしくは、スライド方向が時計回り方向である場合、焦点距離調整方向が焦点距離を縮小させるズームアウトであると判定される、または、
スライド軌跡が直線軌跡であるときは、
スライド方向が第１方向である場合、焦点距離調整方向が焦点距離を拡大させるズームインであると判定され、もしくは、スライド方向が第２方向である場合、焦点距離調整方向が焦点距離を縮小させるズームアウトであると判定される。
【００８７】
第１方向および第２方向がディスプレイの垂直方向または水平方向に沿うものであっても、第１方向および第２方向のうち一方向は焦点距離を縮小させるズームアウトであり、他の方向は焦点距離を拡大させるズームインであることが理解されることがある。
【００８８】
円形軌跡または直線軌跡を指紋タッチパッド上でスライドさせることにより焦点距離を調整するための前述の解決策のいずれか１つまたはすべてが、選択され得る。具体的には、前述の解決策のすべてが携帯端末に組み込まれることがあり、したがってユーザはカメラ操作の選択肢からの選択を行う。スライド方向と焦点距離調整方向との間の前述のいくつかの対応関係から、１つの対応関係があらかじめ選択されて携帯端末に設定されることがあるし、または、スライド方向と焦点距離調整方向との間の前述の幾つかの対応関係のすべてが、携帯端末に設定されることがあり、したがってユーザはカメラアプリケーションの選択肢からの選択を行うし、またはさらには、ユーザは、ユーザによる利用の習慣にしたがって対応関係をランダムに設定することがある。
【００８９】
ステップ２０６：軌跡の長さ、および、軌跡の長さと焦点距離調整量との間の事前に設定された対応関係にしたがって、軌跡の長さに対応する焦点距離調整量を決定して、焦点距離調整方向と焦点距離調整量とを含む焦点距離調整命令を取得する。
【００９０】
軌跡の長さと焦点距離調整量との間の対応関係とは、異なる軌跡の長さと異なる焦点距離調整量との間の対応関係をいう。例えば、焦点距離がズームインにより拡大され、または、焦点距離がズームアウトにより縮小されるにせよ、より長い軌跡の長さはより大きな焦点距離調整量に対応し、より短い軌跡の長さはより小さい焦点距離調整量に対応する。焦点距離調整量は、焦点距離の変化の倍数を指すことがある。携帯端末のカメラが４倍ズームのカメラであり、カメラアプリケーションが起動したときにデフォルトの焦点距離が１倍の焦点距離（これは一般的に１．０ｘと表記され得る）であり、かつ、軌跡の長さが単位長さごとに拡大されるたびに焦点距離が単位倍数だけ拡大されると仮定する。例えば、単位長さが０．３ｃｍに設定されることがあり、単位倍数は０．１倍に設定されることがある。軌跡の長さが１．５ｃｍである場合、焦点距離は０．４倍拡大されてデフォルト焦点距離（これは１．４ｘと表記されることがある）の１．４倍に変更される必要がある。残りは、の類推により考えれてよく、焦点距離は、デフォルト焦点距離の最大で４倍まで拡大されることがある（これは４．０ｘと表記されることがある）。いうまでもなく、前述の具体的なデータは、単なる例であって、本実施形態に対して限定を課すものではない。具体的な値は、実際の要求にしたがって設定するようにしてよい。
【００９１】
倍数単位が変更されない場合、より短い単位長さは焦点距離調整のより高い感度を提供し、より長い単位長さは、焦点距離調整のより低い感度を提供する。指紋タッチパッドの領域が比較的小さいので、円形軌跡をスライドさせる解決策が用いられる場合、単位長さは相対的に長めに設定されてよい、または、直線軌跡をスライドさせる解決策が用いられる場合、単位長さは比較的短めに設定されてよい。
【００９２】
焦点距離調整方向が判定され焦点距離調整量が取得された後に、焦点距離調整方向と焦点距離調整量とを含む焦点距離調整命令が取得される。
【００９３】
ステップ２０７：焦点距離調整命令にしたがって焦点距離を調整し、焦点距離が調整された後に取得される画像を撮影プレビュー画面上に表示する。
【００９４】
代替的には、別の実装形式において、図８に示すように、ステップ２０３の後に以下のステップが実行されるようにしてよい。
【００９５】
ステップ２０８：スライド軌跡の相対的軌跡の長さを判定し、方向情報にしたがってスライド軌跡のスライド方向を判定する。
【００９６】
相対的軌跡の長さは、最後の焦点距離調整命令が生成されたときにユーザの指が置かれている位置からユーザの指の現在の位置までユーザの指がスライドした軌跡の長さである。
【００９７】
ステップ２０９：スライド方向にしたがって、焦点距離調整方向を判定し、焦点距離調整方向は、焦点距離を拡大させるズームインと焦点距離を縮小させるズームアウトとを含む（これはステップ２０５と完全に同一であり、ステップ２０５を参照すればよく、詳細は繰り返し説明しない）。
【００９８】
ステップ２１０：軌跡の長さが事前に設定された単位長さに達しているかどうかを判定する。
【００９９】
単位長さに達する場合、ステップ２１１が実行される、または、単位長さに達しない場合、ステップ２１０が再度実行される。
【０１００】
ステップ２１１：焦点距離調整命令を生成し、焦点距離調整命令は、焦点距離調整方向と事前に設定された単位焦点距離調整量とを含む。ステップ２１１が実行された後に、ステップ２１２が実行され、ステップ２０８ないしステップ２１２が再度実行される。
【０１０１】
ステップ２１１は、ステップ２０６と類似のものである。焦点距離調整量は、焦点距離変化の倍数を指してよく、単位焦点距離調整量は焦点距離変化の単位倍数と理解されてよい。したがって、ステップ２１０は、軌跡の長さが単位長さだけ増すたびに、焦点距離調整命令が生成され、したがって、軌跡の長さが単位長さだけ増すたびに、焦点距離は単位倍数だけ調整されると理解され得る。例えば、携帯端末のカメラが４倍ズームのカメラであり、カメラアプリケーションが起動されたときにデフォルト焦点距離が１倍の焦点距離（これは一般的に１．０ｘと表記されることがある）であると引き続き仮定する。単位長さは０．３ｃｍに設定されてよく、単位倍数は０．１倍に設定されてよい。計算は、ユーザの指が指紋タッチパッド上をスライドし始めたときに開始される。スライド軌跡の長さが０．３ｃｍに達すると、焦点距離調整命令が生成され、焦点距離を０．１倍拡大させるズームインを指示するために用いられ、拡大された焦点距離はデフォルト焦点距離の１．１倍（これは１．１ｘと表記されることがある）である。焦点距離調整命令が生成された後に、ユーザの指がスライドする軌跡の長さが再度カウントされる。スライド軌跡の長さが再び０．３ｃｍに達すると、焦点距離調整命令が生成されて焦点距離を０．１倍拡大させるズームインを指示し、拡大された焦点距離はデフォルト焦点距離の１．２倍（これは１．２ｘと表記されることがある）である。残りは類推により考えてよく、焦点距離は、デフォルト焦点距離の最大で４倍まで拡大されてもよい（これは４．０ｘと表記されてもよい）。いうまでもなく、前述の具体的なデータは、単なる例であって、この実施形態に対する限定を課すものではない。具体的な値は、実際の要求にしたがって設定されてよい。
【０１０２】
倍数単位が変更されない場合、より短い単位長さは焦点距離調整のより高い感度を提供し、より長い単位長さは、焦点距離調整のより低い感度を提供する。指紋タッチパッドの領域が比較的小さいため、円形軌跡をスライドさせる解決策が用いられる場合、単位長さは相対的に長めに設定されてよい、または、直線軌跡をスライドさせる解決策が用いられる場合、単位長さは比較的短めに設定されてよい。
【０１０３】
ステップ２１２：焦点距離調整命令にしたがって焦点距離を調整し、焦点距離が調整された後に取得された画像を撮影プレビュー画面上に表示する。
【０１０４】
具体的には、ステップ２０８ないしステップ２１１で説明したように、軌跡の長さが単位長さだけ増すたびに焦点距離調整命令が生成され、したがって、軌跡の長さが単位長さだけ増すたびに焦点距離は単位倍数だけ調整される。焦点距離が焦点距離調整命令にしたがって調整された後に毎回、調整後に取得された画像が撮影プレビュー画面上に表示される。
【０１０５】
さらに、現在の焦点距離に関するプロンプト情報が撮影プレビュー画面上にさらに表示されてよい。例えば、携帯端末のカメラが４倍ズームのカメラであり、現在の焦点距離がデフォルト焦点距離の２倍である場合、「２．０ｘ」が撮影プレビュー画面上（例えば、インタフェースの左上隅または右上隅）に表示される。
【０１０６】
したがって、ユーザの指がスライドすると、焦点距離が変化するにつれて撮影プレビュー画面上の画像がリアルタイムで変化し、ユーザが異なる焦点距離に対応する画像を撮影プレビュー画面上で見ることができるようにすることを実現することができる。ユーザによって要求される焦点距離に達すると、調整はこれにあわせて停止し、したがって焦点距離調整はより高速でより容易かつより便利である。
【０１０７】
代替的には、図９に示すように、ユーザの指によってタッチパッド上で行われる操作がタップ操作である場合、ステップ２０２の後に、方法は以下のステップを含む。
【０１０８】
ステップ２１３：ユーザの指によってタッチパッド上で行われるタップ操作のタップ量を取得する。
【０１０９】
タップ量はタップまたはダブルタップとしてよく、タップ操作がタップである場合、ステップ２１４が実行され、または、タップ操作がダブルタップである場合、ステップ２１５が実行される。代替的には、図１０に示すように、タップ操作がタップである場合、ステップ２１５が実行され、または、タップ操作がダブルタップである場合、ステップ２１４が実行される。
【０１１０】
ステップ２１４：事前に設定された単位焦点距離調整量にしたがって焦点距離を拡大させるズームインを指示するのに用いられる焦点距離調整命令を生成する。
【０１１１】
ステップ２１５：単位焦点距離調整量にしたがって焦点距離を縮小させるズームアウトを指示するのに用いられる焦点距離調整命令を生成する。
【０１１２】
ステップ２１１と同様、単位焦点距離調整量は、焦点距離変化の単位倍数として理解され得る。したがって、ユーザがタップ操作を行うたびに、焦点距離調整命令が生成されて、焦点距離は、単位焦点距離調整量にしたがって拡大または縮小され、したがってユーザがタップ操作を行うたびに、焦点距離は単位倍数だけ調整される。例えば、携帯端末のカメラが４倍ズームのカメラであり、カメラアプリケーションが起動されたときにデフォルト焦点距離が１倍の焦点距離（これは一般的に１．０ｘと表記されることがある）であると引き続き仮定する。単位倍数は０．１倍に設定されてよい。ユーザが指紋タッチパッド上でタップを行うたびに、焦点距離調整命令が生成され、焦点距離を０．１倍だけ拡大させるズームインを指示するために用いられ、拡大された焦点距離はデフォルト焦点距離の１．１倍（これは１．１ｘと表記されることがある）である。残りは類推により考えれてよく、焦点距離は、デフォルト焦点距離の最大で４倍まで拡大されてよい（これは４．０ｘと表記されることがある）。ユーザが指紋タッチパッド上でダブルタップを行うたびに、焦点距離調整命令が生成され、焦点距離を０．１倍だけ縮小させるズームアウトを指示するのに用いられる。例えば、現在の焦点距離がデフォルト焦点距離の２倍（これは、２．０ｘと表記されることがある）であり、ユーザが指紋タッチパッド上でダブルタップを行うと、焦点距離は、デフォルト焦点距離の１．９倍になる（これは、１．９ｘと表記されることがある）。いうまでもなく、前述の具体的なデータは、単なる例であって、本実施形態に対する限定を課すものではない。具体的な値は、実際の要求にしたがって設定されてよい。
【０１１３】
ステップ２１６：焦点距離調整命令にしたがって焦点距離を調整し、焦点距離が調整された後に取得される画像を撮影プレビュー画面上に表示する。
【０１１４】
本発明のこの実施形態は、タッチパッドを用いて携帯端末の撮影焦点距離を調整するための方法を提供し、携帯端末は、タッチパッドを備える。携帯端末がカメラアプリケーションプログラムに移行して、撮影プレビュー画面を携帯端末のディスプレイ上に表示すると、ユーザがタッチパッドにタッチすることによりトリガされる焦点距離調整開始命令が受信される。焦点距離調整開始命令が実行され、焦点距離表示バーがディスプレイ上に表示され、ユーザに対して焦点距離調整の程度を提示するのに用いられる。ユーザの指がタッチパッド上を動き始めるとき、ユーザの指がタッチパッド上で操作をすることにより生成されるスライド軌跡またはタップ量といったジェスチャタッチ情報が取得される。そして、ジェスチャタッチ情報に対応する焦点距離調整命令が判定される。最後に、焦点距離が焦点距離調整命令にしたがって調整され、焦点距離が調整された後に取得される画像が撮影プレビュー画面上に表示される。ユーザは１本の指を使うだけで撮影焦点距離を調整することができ、したがって画像のジッタ、および片手で携帯端末を保持し、他方の手で焦点距離調整操作を行って焦点距離を調整することに起因するユーザプレビューを遮るという問題を解決できることがわかる。
【０１１５】
本発明の実施形態は、携帯端末２０を提供し、携帯端末はタッチパッド２１０を備える。図１１に示すように、携帯端末２０は、
携帯端末がカメラアプリケーションプログラムに移行して撮影プレビュー画面を携帯端末のディスプレイ上に表示したとき、ユーザがタッチパッドにタッチすることによりトリガされる焦点距離調整開始命令を受信するように構成されたトリガ部２２０と、
焦点距離調整開始命令を実行し、焦点距離表示バーをディスプレイ上に表示するように構成された表示部２３０であって、焦点距離表示バーは、ユーザに対して焦点距離調整の程度を提示するのに用いられる、表示部２３０と、
ユーザの指がタッチパッド上を動き始めたとき、ユーザの指がタッチパッド上で操作をすることにより生成されるジェスチャタッチ情報を取得するように構成された収集部２４０と、
ジェスチャタッチ情報に対応する焦点距離調整命令を決定するように構成された判定部２５０と、
焦点距離を焦点距離調整命令にしたがって調整し、焦点距離が調整された後に取得される画像を撮影プレビュー画面上に表示するように構成された処理部２６０とをさらに備える。
【０１１６】
任意選択的に、操作がスライド操作である場合、収集部２４０は、
方向情報を有し、かつユーザの指がタッチパッド２１０上をスライドすることによって生成されるスライド軌跡を取得するように特に構成される。
【０１１７】
任意選択的に、図１２に示すように、判定部２５０は、
スライド軌跡の軌跡の長さを判定し、方向情報にしたがってスライド軌跡のスライド方向を判定するように構成された軌跡認識部２５１と、
焦点距離調整方向をスライド方向にしたがって判定するように構成されたズーム制御部２５２であって、焦点距離調整方向は、焦点距離を拡大させるズームインおよび焦点距離を縮小させるズームアウトを含む、ズーム制御部２５２と、
軌跡の長さ、および、軌跡の長さと焦点距離調整量との間の事前に設定された対応関係にしたがって、軌跡の長さに対応する焦点距離調整量を決定して、焦点距離調整方向と焦点距離調整量とを含む焦点距離調整命令を取得するように構成された調整制御部２５３とを含むようにしてよいし、
代替的に、スライド軌跡の相対的軌跡の長さを判定し、方向情報にしたがってスライド軌跡のスライド方向を判定するように構成された軌跡認識部２５１であって、相対的軌跡の長さは、最後の焦点距離調整命令が生成されたときにユーザの指が置いてある位置からユーザの指の現在の位置までユーザの指がスライドする軌跡の長さである、軌跡認識部２５１と、焦点距離調整方向をスライド方向にしたがって判定するように構成されたズーム制御部２５２であって、焦点距離調整方向は、焦点距離を拡大させるズームインと焦点距離を縮小させるズームアウトとを含む、ズーム制御部２５２と、軌跡の長さが事前に設定された単位長さに達したかどうかを判定し、単位長さに達する場合、焦点距離調整命令を生成するように構成された調整制御部２５３であって、焦点距離調整命令は、焦点距離調整方向と事前に設定された単位焦点距離調整量とを含む、調整制御部２５３とを含み、スライド方向およびスライド軌跡の相対的軌跡の長さを判定することは軌跡認識部によって再実行されるようにしてよい。
【０１１８】
任意選択的に、スライド軌跡は円形軌跡または直線軌跡を含む。
【０１１９】
スライド軌跡が円形軌跡である場合、スライド方向は反時計回り方向または時計回り方向であり、または、
スライド軌跡が直線軌跡である場合、スライド方向は第１方向および第２方向を含み、第１方向および第２方向の一方は、携帯端末のディスプレイの水平方向に沿って右方向であり、かつ、他方のものは、ディスプレイの水平方向に沿って左方向であり、または、第１方向および第２方向の一方は、ディスプレイの垂直方向に沿って右方向であり、かつ、他方のものは、ディスプレイの垂直方向に沿って左方向である。
【０１２０】
任意選択的に、スライド軌跡が円形軌跡である場合、ズーム制御部２５２は、
スライド方向が反時計回り方向である場合、焦点距離調整方向が焦点距離を縮小させるズームアウトであると判定し、もしくは、スライド方向が時計回り方向である場合、焦点距離調整方向が焦点距離を拡大させるズームインであると判定し、または、
スライド方向が反時計回り方向である場合、焦点距離調整方向が焦点距離を拡大させるズームインであると判定し、もしくは、スライド方向が時計回り方向である場合、焦点距離調整方向が焦点距離を縮小させるズームアウトであると判定するように特に構成するようにしてよく、または、
スライド軌跡が直線軌跡である場合、
ズーム制御部は、スライド方向が第１方向である場合、焦点距離調整方向が焦点距離を拡大させるズームインであると判定し、または、スライド方向が第２方向である場合、焦点距離調整方向が焦点距離を縮小させるズームアウトであると判定するように特に構成される。
【０１２１】
任意選択的に、操作がタップ操作である場合、収集部２４０は、
ユーザの指によってタッチパッド２１０上で行われるタップ操作のタップ量を取得するように特に構成されている。
【０１２２】
任意選択的に、タップ量は、タップとダブルタップとを含み、判定部２５０は、
タップ操作がタップである場合、焦点距離を拡大させるズームインを指示するのに用いられる焦点距離調整命令を、事前に設定された単位焦点距離調整量にしたがって生成し、もしくは、タップ操作がダブルタップである場合、焦点距離を縮小させるズームアウトを指示するのに用いられる焦点距離調整命令を単位焦点距離調整量にしたがって生成し、または、
タップ操作がタップである場合、焦点距離を縮小させるズームアウトを指示するのに用いられる焦点距離調整命令を単位焦点距離調整量にしたがって生成し、もしくは、タップ操作がダブルタップである場合、焦点距離を拡大させるズームインを指示するのに用いられる焦点距離調整命令を単位焦点距離調整量にしたがって生成するように特に構成されてよい。
【０１２３】
任意選択的に、タッチパッド２１０は背面指紋タッチパッドまたは前面指紋タッチパッドとしてよい。
【０１２４】
本実施形態は、前述の方法の実施形態を実装するのに用いられる。本実施形態におけるすべてのユニットの実施手順および実施原理については、前述の方法の実施形態における説明を参照し、詳細はここでは詳細に繰り返して説明しない。
【０１２５】
本発明のこの実施形態は、携帯端末を提供し、携帯端末は、タッチパッドを備える。携帯端末がカメラアプリケーションプログラムに移行し、撮影プレビュー画面を携帯端末のディスプレイ上に表示するとき、ユーザがタッチパッドにタッチすることによりトリガされる焦点距離調整開始命令が受信される。焦点距離調整開始命令が実行され、焦点距離表示バーがディスプレイ上に表示され、ユーザに対して焦点距離調整の程度を提示するのに用いられる。ユーザの指がタッチパッド上を動き始めるとき、スライド軌跡またはタップ量といった、ユーザの指がタッチパッド上で操作をすることにより生成されるジェスチャタッチ情報が取得される。そして、ジェスチャタッチ情報に対応する焦点距離調整命令が判定される。最後に、焦点距離が焦点距離調整命令にしたがって調整され、焦点距離が調整された後に取得される画像が撮影プレビュー画面上に表示される。ユーザは１本の指を使うだけで撮影焦点距離を調整することができ、画像のジッタ、および片手で携帯端末を保持し他方の手で焦点距離調整操作を行って焦点距離を調整することに起因するユーザプレビューを遮るという問題を解決できるようになることがわかる。
【０１２６】
本発明において提供されたいくつかの実施形態においては、開示された装置および方法は、他の態様で実装されてよいことが理解されるべきである。例えば、記述された装置の実施形態は単なる例示的なものにすぎない。例えば、ユニット区分は、単なる論理的機能にすぎず、実際の実装においては他の区分としてよい。例えば、複数のユニットまたはコンポーネントが組み合わせられまたは別のシステムに統合されてよく、または、無視されてもよいし、遂行されなくてもよい。さらに、表示されたまたは論じられた相互結合もしくは直接的結合または通信接続は、いくつかのインタフェースを利用して実装されてよい。装置またはユニット間の間接的結合または通信接続は、電子的、機械的または他の方式において実装されてよい。
【０１２７】
別個のコンポーネントとして記述したユニットは、物理的に別個のものであってもなくてもよいし、ユニットとして表示したコンポーネントは、物理的なユニットであってもなくてもよいし、１つの位置に配置するようにしてよいし、複数のネットワークユニット上に分散するようにしてよい。ユニットの一部または全部が、実施形態の解決策の目的を達成するために、実際の必要性に応じて選択されるようにしてよい。
【０１２８】
さらに、本発明の実施形態における機能ユニットは、１つの処理部に統合されてもよいし、または、ユニットの各々が物理的に単独で存在していてもよいし、または、２つ以上のユニットが１つのユニットに統合されていてもよい。統合されたユニットは、ハードウェアの形で実装されてよいし、ソフトウェア機能ユニットに加えて、ハードウェアの形で実装されてよい。
【０１２９】
前述の統合されたユニットがソフトウェア機能ユニットの形で実装される場合、統合されたユニットはコンピュータ読み取り可能な記憶媒体に格納されてもよい。ソフトウェア機能ユニットは記憶媒体に格納され、コンピュータ装置（それはパーソナルコンピュータ、サーバ、またはネットワーク装置とし得る）またはプロセッサに本発明の実施形態で記載された方法のステップの一部を行うよう指示するためのいくつかの命令を含む。前述の記憶媒体は、ＵＳＢフラッシュドライブ、リムーバブルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどのプログラムコードを格納可能な任意の媒体を含む。
【０１３０】
便宜かつ簡潔な説明の目的のため、前述の機能モジュールの区分は説明のための例とみなされることが当業者によって明確に理解されることがある。実際の用途においては、前述の機能は異なる機能モジュールに割り当てられ、要求にしたがって実装されることができる、すなわち、装置の内部構成が上述した機能の全部または一部を実行するために異なった機能モジュールに分割される。前述の装置の詳細な実施プロセスについては、前述の方法の実施形態における対応するプロセスが参照されてよいので、詳細についてはここでは再度説明しない。
【０１３１】
最後に、前述の実施形態は、本発明の技術的解決策を説明することを単に意図したにすぎず、本発明を限定することを意図したものではないことが理解されるべきである。本発明は前述の実施形態を参照して詳細に説明されるが、本発明の実施形態の技術的解決策の範囲を逸脱することなく、当業者が前述の実施形態で説明された技術的解決策をさらに変更し、または、技術的特徴の一部または全部に対して等価的置換を行うことがあることを当業者は理解すべきである。
【図１】
0006561141.tif 000002
【図２】
0006561141.tif 000003
【図３】
0006561141.tif 000004
【図４】
0006561141.tif 000005
【図５】
0006561141.tif 000006
【図６】
0006561141.tif 000007
【図７】
0006561141.tif 000008
【図８】
0006561141.tif 000009
【図９】
0006561141.tif 000010
【図１０】
0006561141.tif 000011
【図１１】
0006561141.tif 000012
【図１２】
0006561141.tif 000013